(57)【要約】【課題】  少ない金属製部品を用いてスタンドユニットを構成し、そのスタンドユニットを連結したキャビネットの変形を、スタンドユニットの金属製部品の補強作用によって防ぐ。【解決手段】  キャビネット１の下端部背面に、板金製のベース板４から立ち上げた板金製の脚片５を重ね合わせてその重なり箇所イを上下２箇所でビス止めする。脚片５の幅方向両端縁に前向きに曲成した板金製のリブ状の支持片部６を、キャビネット１の重なり箇所イを挟む両側の溝部１４に嵌合する。支持片部６の段付状の受部６１にキャビネット１の溝部１４内に形成した当り部１５を載架し、かつ、溝部の奥壁面１６を幅広リブ部６３の前端面６４に接触して重ね合わせる。【選択図】        図５
0003107250.tif 000002
【実用新案登録請求の範囲】
【請求項１】
ディスプレイ本体がそのキャビネットに連結されたスタンドユニットを備えているディスプレイ装置において、
キャビネットの下端部背面の左右２箇所のそれぞれに、当該ディスプレイ装置の設置面に載架される板金製のベース板の左右２箇所から立ち上げられた各別の板金製の脚片の片面が重ね合わされてその重なり箇所が上下２箇所でビス止めされ、それぞれの脚片の幅方向両端縁に前向きに曲成されてその脚片を補強している左右一対の板金製のリブ状の支持片部が上記キャビネットの上記重なり箇所を挟む両側に具備された２条の溝部に各別に嵌合され、その支持片部がその縦方向中間部に形成された段付状の受部を境にして、その受部の上側が幅狭リブ部、その受部の下側が幅広リブ部として形成されていると共に、上記受部に上記キャビネットの上記溝部内に形成された当り部が載架され、かつ、その当り部の下側に位置している上記溝部の奥壁面が上記幅広リブ部の前端面に接触して重なり合っていて、上記受部に上記当り部を載架して上記脚片の片面を上記キャビネットの下端部背面に重ね合わせることによって、上記キャビネットの下端部背面のねじ孔が、上記脚片に開設されているビス挿通孔に位置合わせされるようになっており、
上記スタンドユニットが、上記ベース板と、上記脚片と、上記支持片部とを備えていると共に、そのスタンドユニットに、上記ベース板と上記脚片及び支持片部の背部とを覆うカバー体が追加されていて、そのカバー体が上記重なり箇所をビス止めしている取付ビスによって上記脚片に固定されていることを特徴とするディスプレイ装置。
【請求項２】
ディスプレイ本体がそのキャビネットに連結されたスタンドユニットを備えているディスプレイ装置において、
キャビネットの下端部背面の左右２箇所のそれぞれに、板金製のベース板の左右２箇所から立ち上げられた各別の板金製の脚片の片面が重ね合わされてその重なり箇所がビス止めされ、それらの脚片の幅方向端縁に前向きに曲成されてその脚片を補強している板金製の支持片部が上記キャビネットに具備された溝部に嵌合され、その支持片部に形成された段付状の受部に、上記キャビネットの上記溝部内に形成された当り部が載架されていると共に、上記スタンドユニットが、上記ベース板と、上記脚片と、上記支持片部とを備えていることを特徴とするディスプレイ装置。
【請求項３】
上記受部に上記当り部を載架して上記脚片の片面を上記キャビネットの下端部背面に重ね合わせることによって、上記キャビネットの下端部背面のねじ孔が、上記脚片に開設されているビス挿通孔に位置合わせされるようになっている請求項２に記載したディスプレイ装置。
【請求項４】
上記支持片部は、段付状の上記受部を境にして、その受部の上側が幅狭リブ部、その受部の下側が幅広リブ部として形成されていて、上記当り部の下側に位置している上記溝部の奥壁面が、上記幅広リブ部の前端面に接触して重なり合っている請求項２に記載したディスプレイ装置。
【考案の詳細な説明】
【技術分野】
【０００１】
本考案は、ディスプレイ装置、特に、液晶パネルを備えるディスプレイ本体がそのキャビネットに連結されたスタンドユニットを備えているディスプレイ装置に関する。
【背景技術】
【０００２】
この種のディスプレイ装置の分野では、ディスプレイ本体とスタンドユニットとの連結部分の構造が従来より種々提案されている（たとえば特許文献１、特許文献２、特許文献３参照）。
【０００３】
このうち、特許文献１には表示装置についての記載があり、このものは、前面ガラスを備えた導電性金属筐体を支持するスタンド支柱に絶縁構造部分を介在させることによって、電磁妨害波の発生を抑制するというものである。特許文献２にはべーススタンドを備えるフラットディスプレイについての記載があり、このものでは、ディスプレイパネル側に設けた取付具をベーススタンドの開口部に嵌め込んでディスプレイパネルをベーススタンドに取り付けるようになっている。特許文献３には支持台付きディスプレイについての記載があり、このものでは、金属製のベースに左右の金属製の脚本体を上向きに突設し、その脚本体に設けた取付け部材をディスプレイに上下２箇所でビス止めしてあると共に、両脚本体の間隔を保つことに役立つ連結板を設けてある。
【０００４】
ところで、液晶ディスプレイ（ＬＣＤ）を採用したディスプレイ装置において、液晶パネルが取り付けられたキャビネットを樹脂成形体によって形成した場合、そのキャビネットにねじれなどの変形や揺れ動きが生じてディスプレイ装置に要求される諸種の性能が損なわれたり、ユーザにとっての視聴感覚が損なわれたりするおそれがあり、そのおそれは液晶パネルのサイズが大きくいものほど顕著になることが判っている。また、キャビネットの変形は気温の変化やキャビネットの内部に熱が籠もって起こり得ることも知られている。
【特許文献１】特開２００３−１７４６００号公報
【特許文献２】特開２００１−２８２１１５号公報
【特許文献３】特開２００２−３６９１０３号公報
【考案の開示】
【考案が解決しようとする課題】
【０００５】
そこで、樹脂成形体でなるキャビネットの強度を増大させることを意図して、そのキャビネットの形状に工夫を講じて３次元構造の凹凸を具備させることや、補強リブを一体に成形しておくことなども行われるけれども、そのような対策を講じるだけでは事後的なキャビネットのねじれなどの変形やスタンドユニットによって支持されたキャビネットの揺れ動きなどを防ぐことに限界があった。この点に関し、特許文献１や特許文献２で提案されている技術は、キャビネットの変形や揺れ動きを防ぐことを意図するものではない。
【０００６】
これに対し、特許文献３で提案されている技術では、スタンドユニットとしての支持台のベースと脚本体とを共に金属製としてその相互間隔を両者の間に横架した連結板によって保ち、かつ、脚本体に取付け部材を介してディスプレイをビス止めすることによってディスプレイの倒れを防ぐようにしているので、脚本体と連結板と取付け部材とで構成された支持台によってディスプレイがある程度は補強されるものと考えられる。
【０００７】
しかしながら、この特許文献３で提案されている技術は、スタンドユニットとしての支持台が、金属製の脚本体と同じく金属製の連結板との他に、取付け部材をも備えていて、強度を確保するために必要とされる金属製の構成部品の種類数がそれらの３種類となっている。そのため、組立工数がそれに見合って多くなって製作コストが高くつくという問題がある。また、ディスプレイ（キャビネットに相当）の背面の左右の２箇所に上記取付け部材が重なり状にビス止めされているに過ぎないので、ディスプレイの変形や揺れ動きを防ぐという観点から見ると十分な対策が講じられているとはいえない。すなわち、そのようなビス止め構造では、左右の取付け部材がディスプレイの平面的形状を保つのに役立っているに過ぎず、ディスプレイ自体にはそれ自体の変形や揺れ動きを防ぐための構成が何ら講じられていないので、ディスプレイの変形や揺れ動きを防ぐ上での信頼性に関して満足できるものではない。
【０００８】
本考案は以上の状況に鑑みてなされたものであり、キャビネットの変形や揺れ動きを、そのキャビネットにビス止めによって連結されるスタンドユニットによる補強作用とキャビネット自体の構造的な補強作用との両方によって防止することが可能なディスプレイ装置を提供することを目的とする。
【０００９】
また、本考案は、キャビネットの変形や揺れ動きを防ぐ作用が上掲の特許文献３に見られるものを凌駕し、しかも、それよりも少ない構成部品を用いるだけで済むディスプレイ装置を提供することを目的とする。
【課題を解決するための手段】
【００１０】
本考案に係るディスプレイ装置は、ディスプレイ本体がそのキャビネットに連結されたスタンドユニットを備えている。そして、キャビネットの下端部背面の左右２箇所のそれぞれに、板金製のベース板の左右２箇所から立ち上げられた各別の板金製の脚片の片面が重ね合わされてその重なり箇所がビス止めされ、それらの脚片の幅方向端縁に前向きに曲成されてその脚片を補強している板金製の支持片部が上記キャビネットに具備された溝部に嵌合され、その支持片部に形成された段付状の受部に、上記キャビネットの上記溝部内に形成された当り部が載架されていると共に、上記スタンドユニットが、上記ベース板と、上記脚片と、上記支持片部とを備えている。
【００１１】
この構成であると、キャビネットを支えるための強度を確保するのに必要な金属製の部品の種類数がベース板と支持片部を有する脚片との２種類だけになるので、上掲の特許文献３に見られる支持台のそれよりも少なくなる。また、キャビネットの背面に左右の脚片がビス止めされていることに加えて、それらの脚片の支持片部がキャビネットに具備された溝部に嵌合されていることにより、支持片部が脚片を補強することに役立っているだけでなく、支持片部と溝部とが噛合い状になってキャビネットが補強されてその変形が防止され、しかも、キャビネット自体がその溝部により補強されて変形しにくくなる。そのため、キャビネットの変形や揺れ動きが、そのキャビネットにビス止めによって連結されるスタンドユニットによる補強作用とキャビネット自体の構造的な補強作用との両方によって防止されるようになる。
【００１２】
さらに加えて、支持片部に形成された段付状の受部に、キャビネットの溝部内に形成された当り部が載架されているという構成により、キャビネットの前倒れが起こりにくくなると共に、キャビネットの自重が、上記ビス止め箇所だけでなく、上記受部によっても受け止められるようになってキャビネットに無理な力が加わりにくくなるという利点もある。
【００１３】
本考案では、上記受部に上記当り部を載架して上記脚片の片面を上記キャビネットの下端部背面に重ね合わせることによって、上記キャビネットの下端部背面のねじ孔が、上記脚片に開設されているビス挿通孔に位置合わせされるようになっていることが望ましく、そのようにすると、スタンドユニットをキャビネットに連結する際のビス止め作業を容易に行うことができるようになる。
【００１４】
本考案では、上記支持片部は、段付状の上記受部を境にして、その受部の上側が幅狭リブ部、その受部の下側が幅広リブ部として形成されていて、上記当り部の下側に位置している上記溝部の奥壁面が、上記幅広リブ部の前端面に接触して重なり合っていることが望ましく、これによると、キャビネットの下端部が支持片部により後方からバックアップさてキャビネットの前倒れがいっそう起こりにくくなる。
【００１５】
本考案は、次の構成を採用することによっていっそう具体化される。すなわち、ディスプレイ本体がそのキャビネットに連結されたスタンドユニットを備えているディスプレイ装置において、キャビネットの下端部背面の左右２箇所のそれぞれに、当該ディスプレイ装置の設置面に載架される板金製のベース板の左右２箇所から立ち上げられた各別の板金製の脚片の片面が重ね合わされてその重なり箇所が上下２箇所でビス止めされ、それぞれの脚片の幅方向両端縁に前向きに曲成されてその脚片を補強している左右一対の板金製のリブ状の支持片部が上記キャビネットの上記重なり箇所を挟む両側に具備された２条の溝部に各別に嵌合され、その支持片部がその縦方向中間部に形成された段付状の受部を境にして、その受部の上側が幅狭リブ部、その受部の下側が幅広リブ部として形成されていると共に、上記受部に上記キャビネットの上記溝部内に形成された当り部が載架され、かつ、その当り部の下側に位置している上記溝部の奥壁面が上記幅広リブ部の前端面に接触して重なり合っていて、上記受部に上記当り部を載架して上記脚片の片面を上記キャビネットの下端部背面に重ね合わせることによって、上記キャビネットの下端部背面のねじ孔が、上記脚片に開設されているビス挿通孔に位置合わせされるようになっており、上記スタンドユニットが、上記ベース板と、上記脚片と、上記支持片部とを備えていると共に、そのスタンドユニットに、上記ベース板と上記脚片及び支持片部の背部とを覆うカバー体が追加されていて、そのカバー体が上記重なり箇所をビス止めしている取付ビスによって上記脚片に固定されている、という構成を採用することによっていっそう具体化される。この考案の作用については、後述する実施形態を参照して詳細に説明する。
【考案の効果】
【００１６】
本考案によれば、キャビネットの変形や揺れ動きが、そのキャビネットにビス止めによって連結されるスタンドユニットによる補強作用とキャビネット自体の構造的な補強作用との両方によって防止されるので、ディスプレイの変形や揺れ動きを防ぐ上での信頼性が向上する。しかも、そのような信頼性が、少ない種類の金属製部品を用いるだけで向上するので、組立に要する工数が特許文献３に見られるものよりも少なくなり、それだけ製作コストを安くできるという利点がある。
【考案を実施するための最良の形態】
【００１７】
図１は本考案に係るディスプレイ装置を背面側から見た概略斜視図、図２はスタンドユニット３の概略斜視図である。また、図３はスタンドユニット３の平面図、図４は支持片部６を有する脚片５が固着されたベース板４の平面図、図５はカバー体７と支持片部６を有する脚片５とを示した分解斜視図、図６はキャビネット１の一部省略背面図、図７は図６の要部を拡大した背面図、図８は図７のＶＩＩＩ−ＶＩＩＩ線に沿う部分の拡大断面図、図９は図７のＩＸ−ＩＸ線に沿う部分の拡大断面図である。
【００１８】
このディスプレイ装置では、図１のようにキャビネット１が当該ディスプレイ装置の設置面に載架されるスタンドユニット３によって支えられる構成を備えていて、キャビネット１は、液晶パネルが取り付けられてその液晶パネルと共にディスプレイ本体を構成する。また、スタンドユニット３はキャビネット１に連結される。
【００１９】
図１のほか、図６や図７にも示したように、キャビネット１はその周辺部を除く部分が後方へ突き出た張出構造部１２として形成されていて、その張出構造部１２がキャビネット１全体を補強してその変形を防ぐことに役立っている。
【００２０】
次に、図２に示したスタンドユニット３を説明する。このスタンドユニット３は、図４に示した板金製のベース板４と、このベース板４の左右２箇所から立ち上げられた各別の板金製の脚片５，５と、これらの各脚片５の幅方向両端縁に前向きに曲成されてその脚片５を補強しているリブ状の支持片部６，６とを備えている。また、図５に示したように、脚片５は、左右の支持片部６，６の下端に具備された取付片５１，５１を有していて、それらの取付片５１，５１が、図４や図８又は図９のようにベース板４に重ね合わされて重なり部分の複数箇所がぐらつかないように強固にビス止めされている。また、ベース板４自体は、その周縁に沿ってリブ４１が切起し形成されていて、そのリブ４１によって容易に変形しないように補強されている。
【００２１】
さらに、図５のように、上記したそれぞれの支持片部６は、その縦方向中間部に形成された段付状の水平な受部６１を有していると共に、その受部６１を境にして、その受部６１の上側が幅狭リブ部６２、その受部６１の下側が幅広リブ部６３として形成されている。
【００２２】
図２又は図３に示したように、スタンドユニット３にはカバー体７が追加されている。このカバー体７は、ベース板４の全体を上方から覆う部分であるベースカバー部７１と、脚片５の下部を覆う部分であるスカート部７２と、脚片５及び支持片部６の背部を覆う部分である立上り部７３とを一体に備える中空の樹脂成形体でなり、図５のように、スカート部７２に、上記の脚片５とその支持片部６とが挿通されるスリット状の開口７５がコ字形に形成されていることに加えて、立上り部７３には、その背面と上面とで開放した凹所７６とその凹所７６の奥壁を形成している前壁７７を貫通する上下２箇所のビス挿通孔７８，７８が設けられている。
【００２３】
そして、カバー体７は、左右のスカート部７２の開口７５を左右の支持片部６と脚片５とに各別に挿通させることによってベース板４に被せられると共に、ベース板４に所定箇所でビス止めされる。こうしてカバー体７をベース板４に装着した状態では、図２又は図３に示したように、脚片５と脚片５の左右の支持片部６，６とがスカート部７２の上方に突出するのに対し、それら以外の部分、すなわち、ベース板４や、脚片５及び支持片部６の下部はカバー体７によって覆い隠されて外部から見えなくなる。したがって、このカバー体７は、スタンドユニット３の構成要素であると同時に、スタンドユニット３の全体デザインを決定付ける要素でもある。なお、カバー体７が装着されたスタンドユニット３にあっては、その脚片５の上下２箇所に設けられたビス挿通孔５２，５２が上記前壁７７の上下２箇所のビス挿通孔７８，７８に重なり合う。
【００２４】
次に、キャビネット１とスタンドユニット３との連結部分の構造を説明する。
【００２５】
図８のように、この連結部分では、キャビネット１の下端部背面にベース板４から立ち上げられている脚片５の前面（片面）５３が重ね合わされていて、その重なり箇所イ（図７参照）では、立上り部７３の前壁７７に備わっているビス挿通孔７８，７８と脚片５のビス挿通孔５２とに挿通された取付ビス８１が、キャビネット１の下端部に設けられたボス部１３にねじ込まれて両者が上下２箇所でビス止めされている。また、脚片５の左右の支持片部６，６は、図７のように、上記した重なり箇所イの左右両側に備わっている縦長の溝部１４，１４に各別に嵌合されている。そして、図９に示したように、その支持片部６の受部６１に、上記溝部１４内に段付状に形成されている下向きの当り部１５が載架され、かつ、その当り部１５の下側に位置している溝部１４の奥壁面１６が幅広リブ部６３の前端面６４に接触して重なり合っている。
【００２６】
この構成のディスプレイ装置において、上記受部６１に上記当り部１５を載架して脚片５の前面５３をキャビネット１の下端部背面に重ね合わせると、それだけでキャビネット１の背面側のボス１３のねじ孔が、脚片５のビス挿通孔５２に位置合わせされるようになっている。そのため、キャビネット１にスタンドユニット３を連結するためのビス止め作業を行うときには、支持片部６をキャビネット１の溝部１４に嵌合してその受部６１に当り部１５を載架させるだけでボス１３のねじ孔と脚片５のビス挿通孔５２とが重なり、両者の位置決めを行うことなく直ちにビス止め作業を行うことができるようになるという作業工程上の利点がある。
【００２７】
この実施形態では、スタンドユニット３に含まれる金属製部品がベース板４と支持片部６を有する脚片５との２種類であり、それら２種類の金属製部品だけによってキャビネット１を支えるための強度が確保されている。そのため、少ない種類の金属製部品でキャビネット１を支えるスタントユニット３が構成されている。
【００２８】
そして、キャビネット１の下端部背面の２箇所に、１枚のベース板４に固定されている左右の脚片５，５がビス止めされていることにより、キャビネット１の変形がそれらの脚片５，５によって阻止される。しかも、そのことに加えて、左右の脚片５，５のそれぞれの左右の支持片部６，６がキャビネット１に形成されている溝部１４，１４に各別に嵌合されているので、それらの支持片部６，６は脚片５を補強することに役立っているだけでなく、支持片部６，６と溝部１４，１４とが噛合い状になって支持片部６，６がキャビネット１を補強してその変形を防止することにも役立っている。その上、キャビネット１自体は、その溝部１４，１４により形状的に補強されて変形しにくくなっている。これらのことから、キャビネット１の変形が、そのキャビネット１にビス止めによって連結されるスタンドユニット３による補強作用とキャビネット１自体の形状的ないし構造的な補強作用との両方によって防止されるようになっていると云える。
【００２９】
また、支持片部６の受部６１にキャビネット１側の当り部１５が載架されているという構成によってキャビネット１の前倒れが防止され、併せてこの構成により、キャビネット１の自重が、取付ビス８１によるビス止め箇所だけでなく、受部６１によっても受け止められてキャビネット１に無理な力が加わりにくくなっている。さらに、キャビネット１の前倒れは、キャビネット１側の溝部１４の奥壁面１６が、支持片部６の幅広リブ部６３の前端面６４に接触して重なり合っていることによりいっそう起こりにくくなっている。
【００３０】
この実施形態において、脚片５に備わっている左右の支持片部６，６が、キャビネット１側の２箇所の溝部１４，１４に嵌合して図７に示した重なり箇所イを挟み付けるように構成を採用することも可能であり、そのようにしておくと、左右の支持片部６，６による重なり箇所イの挾み付け作用によって、キャビネット１がいっそう変形しにくくなることが判っている。
【図面の簡単な説明】
【００３１】
【図１】本考案に係るディスプレイ装置を背面側から見た概略斜視図である。
【図２】スタンドユニットの概略斜視図である。
【図３】スタンドユニットの平面図である。
【図４】支持片部を有する脚片が固着されたベース板の平面図である。
【図５】カバー体と支持片部を有する脚片とを示した分解斜視図である。
【図６】キャビネットの一部省略背面図である。
【図７】図６の要部を拡大した背面図である。
【図８】図７のＶＩＩＩ−ＶＩＩＩ線に沿う部分の拡大断面図である。
【図９】図７のＩＸ−ＩＸ線に沿う部分の拡大断面図である。
【符号の説明】
【００３２】
１  キャビネット
３  スタンドユニット
４  ベース板
５  脚片
６  支持片部
７  カバー体
１４  溝部
１５  当り部
１６  溝部の奥壁面
５２  ビス挿通孔
５３  脚片の前面（脚片の片面）
６１  受部
６２  幅狭リブ部
６３  幅広リブ部
６４  幅広リブ部の前端面
イ  重なり箇所
【図１】
0003107250.tif 000003
【図２】
0003107250.tif 000004
【図３】
0003107250.tif 000005
【図４】
0003107250.tif 000006
【図５】
0003107250.tif 000007
【図６】
0003107250.tif 000008
【図７】
0003107250.tif 000009
【図８】
0003107250.tif 000010
【図９】
0003107250.tif 000011